(57)【要約】【課題】  鏡板の表裏面に各種の造形模様が比較的自由に形成できるとともに組立て性が良い。【解決手段】  左右縦框５、６および上下横框９、１０で形成される框組み３の内側開口部１４に鏡板１９を設ける扉体１であって、鏡板１９の表裏面に設けられる格子枠２１と、開口部の縁１５に沿って設けられる押え部材３０ａ、３０ｂとを備え、格子枠２１は曲げ可能な棒状部材２３を組み合わせて形成され、押え部材３０ａ、３０ｂは棒状部材２３の端部を押えるための突出部３１を有し、突出部３１は押え部材３０ａ、３０ｂの長手方向に連続して設けられ、棒状部材２３の端は突出部３１の下に位置し、さらに、棒状部材２３の端部同士の間ないし棒状部材２３の端部と開口部の隅１６との間に棒状の目隠し材（符号３６、図３）を設ける。【選択図】              図１
2005350908.tif 000002
【特許請求の範囲】
【請求項１】
扉の略中央部に形成された開口部に鏡板を設ける扉体であって、前記鏡板の少なくとも片側面に設けられる格子枠と、該格子枠を設ける側の開口部の縁に沿って設けられる縦長状の押え部材とを備え、前記格子枠は曲げ可能な棒状部材を組み合わせて形成され、前記押え部材は前記棒状部材の端部を押えるための突出部を有し、該突出部は該押え部材の長手方向に連続して設けられ、前記棒状部材の端は前記突出部の下に位置してなる扉体。
【請求項２】
請求項１において、前記棒状部材の端部同士の間ないし該棒状部材の端部と開口部の隅との間に棒状の目隠し材を設けてなる扉体。
【発明の詳細な説明】
【技術分野】
【０００１】
本発明は、主に個別住宅や集合住宅、ビル、店舗などの扉に使用される扉体に関する。
【背景技術】
【０００２】
従来の扉体としては、その表面が細い木材を縦横に組んだ格子状に形成され、幾何学的模様を表現したものが知られている。さらに、幾何学的模様のみでなく、曲線を利用したものもある。たとえば扉の面内が縦モールと、これに直交する横モールとにより装飾された扉体において、縦モールと横モール間に装飾モールが設けられるものが知られている（特許文献１参照）。この扉体において、縦モールと装飾モールまたは横モールと装飾モールの連結は欠き込みを形成することにより嵌合される。
【特許文献１】特開平９−２７９９５１号公報
【発明の開示】
【発明が解決しようとする課題】
【０００３】
しかしながら、従来の扉体は、デザインが固定的であり幾何学的模様に限られる。さらに、斬新な模様あるいは流行り柄などを取り入れた模様などを表現することが困難である。格子組の部材の端は、欠き込み加工が行われ嵌合されるので、扉体側の枠材の欠き込み位置を予め決める必要があり、デザインが限定されやすい。さらに、加工が煩雑であるとともに、加工の精度も要求される。
【０００４】
本発明の課題は、鏡板の表裏面に各種の造形模様を比較的自由に形成できるとともに、組立ての精度を要さずに組立て性が良いことである。
【課題を解決するための手段】
【０００５】
上記課題を解決するため、本発明は、扉の略中央部に形成された開口部に鏡板を設ける扉体であって、前記鏡板の少なくとも片側面に設けられる格子枠と、該格子枠を設ける側の開口部の縁に沿って設けられる縦長状の押え部材とを備え、前記格子枠は曲げ可能な棒状部材を組み合わせて形成され、前記押え部材は前記棒状部材の端部を押えるための突出部を有し、該突出部は該押え部材の長手方向に連続して設けられ、前記棒状部材の端は前記突出部の下に位置してなることを特徴とする。
【０００６】
このようにすることにより、押え部材は突出部を有し、この突出部により棒状部材の端部表面を押えることにより格子枠を固定することができる。押え部材の突出部は押え部材の長手方向に連続して設けられ、かつ棒状部材の端は突出部の下に位置するので、棒状部材の端部と押え部材の突当り面との間に多少の隙間があっても、押え部材の突出部によって覆われる。
【０００７】
したがって、棒状部材の端部と押え部材の突当り面との間の隙間は見えず意匠上良好である。さらに、格子枠を扉に取り付ける精度も比較的緩く設定できるので組立て性が良好である。また、曲げた棒状部材を組み合せることにより斬新な形状の格子枠を形成できる。
【０００８】
さらに、棒状部材の端部同士の間ないし該棒状部材の端部と開口部の隅との間に棒状の目隠し材を設けると良い。棒状の目隠し材を設けることにより、格子枠を形成する棒状部材の端部を開口部の縁方向に移動しないように固定することができる。
【０００９】
次に本発明を構成する各要件についてさらに詳しく説明する。本発明の扉体は、主に個別住宅や集合住宅、ビル、店舗などの扉に使用されるものであるが、引戸や障子などの建具、あるいは収納庫の扉などにも使用できる。さらに、扉体は、縦框と横框を有する框組みの略中央部に形成された開口部に鏡板を設けるものや芯組みに表面材を張り合わせたものであって略中央の開口部に鏡板を設けるものを含む。
【００１０】
扉の略中央部に形成された開口部には鏡板が設けられる。鏡板としては、木質系、合成樹脂系、ガラス系、またはその他の無機質系などの材料を用いることができる。また、鏡板として光を透過する材料（光透過性材料）や光を透過しない材料などを選択できる。鏡板の四周縁部は、格子枠の端部および開口部の縁に沿って設けられる表裏の押え部材によって固定される。
【００１１】
格子枠は、鏡板の表面または裏面、あるいは両面に設けられるが、曲げ可能な棒状部材を組み合わせて形成される。鏡板が光を透過する材料で形成される場合、鏡板の表側に設けられる格子枠の造形模様と、裏側に設けられる格子枠の造形模様とは、互いに鏡面関係にあって、表裏の造形模様が重なるように形成されると、扉体を正面から見たときにすっきりとした造形模様となる。
【００１２】
さらに、格子枠の造形模様は、一般的な格子模様の他に異形格子模様でも良い。異形格子模様は、曲線状の棒状部材の組み合わせ、直線状の棒状部材と曲線状の棒状部材の組み合わせなどを利用して造形された模様である。棒状部材と棒状部材の交差する部分は、互いに切り欠いて組み合わされると良い。棒状部材の鏡板に接する裏面には接着剤を塗布して棒状部材を鏡板の表面に接着しても良い。
【００１３】
また、格子枠は、棒状部材の組み合わせ以外に、板その他の形状の材料を各種造形模様に形成して使用しても良い。但し、格子枠の端は少なくとも数箇所が押え部材の突出部の下に位置するようにして格子枠を固定する。格子枠の材料は、単板や合板、集成材あるいはＭＤＦなどの木質系、各種合成樹脂系、鉄、アルミ、銅などの金属系、無機系などから模様、色感などを考慮して選定される。
【００１４】
押え部材は、縦長状で棒状部材の端部を押えるための突出部を有するとともに、突出部は押え部材の長手方向に連続して設けられるものであれば、その断面形状は特に限定されない。押え部材の材質は、単板や合板、集成材あるいはＭＤＦなどの木質系、各種合成樹脂系、鉄、アルミ、銅などの金属系で板の曲げ加工材や形材、無機系成形材などから選定される。
【００１５】
目隠し材は、棒状の部材であり、かつ押え部材の突出部の下に収まる幅に形成されても良い。目隠し材は、棒状部材の端部同士の間、棒状部材の端部と開口部の隅との間に設けられる。目隠し材の材質は、押え部材の材質と略同じものを使用できる。
【発明の効果】
【００１６】
本発明によれば、鏡板の表裏面に各種の造形模様を比較的自由に形成できるとともに、格子枠を取り付ける際に精度を要さず組立て性が良い。
【発明を実施するための最良の形態】
【００１７】
以下、本発明に係る扉体の実施例を図面に基づいて詳細に説明する。なお、図１〜４において、同一または同等部分には同一符号を付けて示す。
【実施例１】
【００１８】
図１は、本発明に係る扉体の一実施例を示す正面図である。本実施例の扉体１は、個別住宅や集合住宅あるいはビル、店舗などの扉に使用するものである。扉体１は、左縦框５および右縦框６と、これら左縦框５と右縦框６の間に配置される上横框９および下横框１０とで形成される框組み３と、この框組み３の内側開口部１４に設けられる鏡板１９とを備える。この場合、框組み３は縦框勝ちとなっている。また、扉体１の左右方向片側（図の左側）には取手４４が設けられる。左右、上下框材の材質は、集成材、木質繊維板（ＭＤＦなど）などで形成される。
【００１９】
さらに、框組み３において、左右縦框５、６と上下横框９、１０の組立ては、後述のように、互いの部材に形成した溝や突起片の嵌合の他に、ダボやビスなどの固定手段を併用することにより固定される。この場合、嵌合部分や固定部分には接着剤を併用すると良い。接着剤（合成樹脂）としては、たとえば酢酸ビニル系、酢酸ビニル・アクリル系などを使用する。
【００２０】
図２は、図１におけるＡ−Ａ線断面図である。扉体１は、上記框組み３と鏡板１９に加え、鏡板１９の表裏面に設けられる格子枠２１、２１と、この格子枠２１、２１を押える押え部材３０ａ、３０ｂとを備える。格子枠２１は、曲げ可能な木質系棒状部材２３を異形格子模様状に組み合わせて形成されるもので、曲線状の棒状部材２３を組み合わせて形成される。
【００２１】
押え部材３０ａ、３０ｂは、開口部の縁１５に沿って設けられ、集成材やＭＤＦなどの木質系で形成される。さらに、押え部材３０ａ、３０ｂは、格子枠２１および鏡板１９を押える際、スクリュービス３８により互いに固定される。さらに、押え部材３０ａ、３０ｂは、棒状部材の端部２５を押えるための突出部３１を有し、突出部３１の内側と押え部材本体の外側面（突当り面）により断面Ｌ字形の凹みが形成される。さらに、突出部３１は押え部材３０ａ、３０ｂの長手方向（図２紙面に垂直な方向）に連続して設けられ、棒状部材２３の端は押え部材の突出部３１の下に位置する。
【００２２】
また、鏡板１９の裏面側に設けられる押え部材３０ｂは、左縦框５の長手方向に沿って形成される縦框側溝７に嵌合する突起片３２を有する。右縦框６についても、その長手方向に沿って縦框側溝７が形成され、この縦框側溝７に押え部材の突起片３２が嵌合する。なお、図２において、符号２０は、鏡板１９の縁である。
【００２３】
図３は、上記実施例における押え部材３０ａ、格子枠２１および目隠し材３６の分解斜視図である。格子枠の棒状部材２３同士の交差部分は、各々に切り込み２７が形成され、互いに組み合わされる。さらに、棒状部材の端部２５同士の間ないし棒状部材の端部２５と開口部の隅１６（図１）との間に棒状の目隠し材３６が設けられる。
【００２４】
なお、符号４０は棒状部材２３同士を固定するステープル、符号４２は押え部材３０ａと棒状部材２３、２３とを固定する木釘である。また、押え部材３０ｂ、格子枠２１および目隠し材３６の関係構造についても、上記押え部材３０ａの場合と同様である。また、図２において、鏡板１９の四周縁部は、目隠し材３６を介して表裏の二つの押え部材３０ａ、３０ｂによって挟まれる。目隠し材３６は、押え部材３０ａ、３０ｂの材質と略同じものが使用される。
【００２５】
図４は、図１におけるＢ−Ｂ線断面図である。下横框１０は、図示していない上横框９に対向する端面に押え部材３０ｂに形成される突起片３２を嵌合する横框側溝１１を有する。また、下横框１０は、上横框９に対向する端面と直交する端面に左右縦框５、６の上記縦框側溝７に嵌合する横框側突起片（図示せず）を有する。左右縦框５、６と下横框１０はこれら溝または突起片によって組み立てられる。上横框９と押え部材３０ａ、３０ｂ、格子枠２１および鏡板１９との関係構造についても下横框１０の場合と同様である。
【００２６】
以上の構造を有する本実施例の扉体１は、次のように作用する。すなわち、図１〜４に示すように、押え部材３０ａ、３０ｂは突出部３１を有し、この突出部３１により棒状部材の端部２５表面を押えることにより格子枠２１を鏡板１９とともに固定することができる。押え部材の突出部３１は、押え部材３０ａ、３０ｂの長手方向に連続して設けられ、かつ棒状部材の端部２５は押え部材の突出部３１の下に位置するので、棒状部材の端部２５と押え部材３０ａ、３０ｂの本体突当り面との間に多少の隙間があっても、押え部材の突出部３１によって覆われる。
【００２７】
棒状部材の端部２５と押え部材３０ａ、３０ｂの本体突当り面との間の隙間は押え部材の突出部３１によって覆われるので、棒状部材の端部２５と押え部材３０ａ、３０ｂとの間の隙間は見えず意匠上良好である。さらに、格子枠２１を框組み３に取り付ける精度も緩くすることができて組立てが容易である。また、曲げた棒状部材２３を含む棒状部材を組み合せることにより斬新な形状の格子枠２１を形成できる。
【００２８】
さらに、棒状部材の端部２５同士の間ないし棒状部材の端部２５と開口部の隅１６との間に棒状の目隠し材３６を設けることにより、格子枠２１を形成する棒状部材の端部２５を開口部の縁方向に移動しないように固定することができる。
【００２９】
以上この発明を図示の実施例について詳しく説明したが、それを以ってこの発明をそれらの実施例のみに限定するものではない。たとえば、上記実施例においては框組みの扉の略中央部に形成された開口部に鏡板を設ける扉体であったが、縦材と横材を組み合わせた芯組みに表面材を張り付ける扉体であって、この略中央部に開口部を形成し、この開口部に鏡板を設ける扉体であっても良い。要するに、この発明の精神を逸脱せずして種々改変を加えて多種多様の変形をなし得ることは云うまでもない。
【産業上の利用可能性】
【００３０】
本発明の扉体は、個別住宅や集合住宅、ビル、店舗などの扉に利用可能である。
【図面の簡単な説明】
【００３１】
【図１】本発明に係る扉体の一実施例を示す正面図である。
【図２】図１におけるＡ−Ａ線断面図である。
【図３】上記実施例における押え部材、格子枠および目隠し材の分解斜視図である。
【図４】図１におけるＢ−Ｂ線断面図である。
【符号の説明】
【００３２】
１  扉体
３  框組み
５  左縦框
６  右縦框
９  上横框
１０  下横框
１４  開口部
１５  縁
１６  隅
１９  鏡板
２１  格子枠
２３  棒状部材
２４  端
２５  端部
３０ａ、３０ｂ  押え部材
３１  突出部
３２  突起片
３６  目隠し材
【図１】
2005350908.tif 000003
【図２】
2005350908.tif 000004
【図３】
2005350908.tif 000005
【図４】
2005350908.tif 000006